(57)【要約】【課題】耐久性を確保しつつ、軽い操作力での開閉を可能にすることができる回転ユニットを提供すること。【解決手段】回転ユニット１０に、鉛直方向に延在する軸部１２を有する軸側部材１１と、軸部１２が入り込む中空部２３を有すると共に、中空部２３に軸部１２が入り込んだ状態で相対回転可能に軸部１２を支持する支持側部材２１と、軸側部材１１における鉛直方向で支持側部材２１に対向する面に配設される軸側磁石１６と、対向面同士の極性が同じ極性で軸側磁石１６に対向するように支持側部材２１に配設される支持側磁石２６と、を備える。【選択図】図９
2013040623.tif 000002
【特許請求の範囲】
【請求項１】
鉛直方向に延在する軸部を有する軸側部材と、
前記軸部が入り込む中空部を有すると共に、前記中空部に前記軸部が入り込んだ状態で相対回転可能に前記軸部を支持する支持側部材と、
前記軸側部材における鉛直方向で前記支持側部材に対向する面に配設される軸側磁石と、
対向面同士の極性が同じ極性で前記軸側磁石に対向するように前記支持側部材に配設される支持側磁石と、
を備えることを特徴とする回転ユニット。
【発明の詳細な説明】
【技術分野】
【０００１】
本発明は、回転ユニットに関する。
【背景技術】
【０００２】
建築物には、扉など回転軸を中心として回転させることにより開閉する建具が多く用いられているが、回転軸は、支持部材に対して摺動しながら回転するため、開閉の動作が重くなったり、回転軸や支持部材に摩耗が発生したりする場合がある。このため、従来の扉等の回転ユニットでは、開閉動作を軽くしているものがある。例えば、特許文献１に記載された門扉の取付装置では、門扉のヒンジ構成部及び連結部材を軽量な材料を用いて構成しており、これにより、門扉の開閉動作を軽くすることができる。
【０００３】
また、建築物の建具以外に用いられる回転ユニットでも開閉動作の軽量化を図っているものがある。例えば、特許文献２に記載された折り畳み式携帯無線機では、ヒンジ部の内部に、筐体を閉じた状態で筐体が開く方向に磁力が働く磁石を設けることにより、筐体を開く際の力を軽減している。
【先行技術文献】
【特許文献】
【０００４】
【特許文献１】特開平６−２８８１６６号公報
【特許文献２】特開平７−２０２７８７号公報
【発明の概要】
【発明が解決しようとする課題】
【０００５】
しかしながら、開閉動作を軽くするために、特許文献１に記載された門扉の取付装置のように、門扉のヒンジ構成部を軽量な材料を用いた場合、強度が低下し易くなり、耐久性が低下する場合がある。また、特許文献２に記載された折り畳み式携帯無線機のように、磁力の反発力を利用して開く方向の力を低減する場合、反対方向の力、即ち、閉じる方向の力が大きくなる場合がある。
【０００６】
本発明は、上記に鑑みてなされたものであって、耐久性を確保しつつ、軽い操作力での開閉を可能にすることができる回転ユニットを提供することを目的とする。
【課題を解決するための手段】
【０００７】
上述した課題を解決し、目的を達成するために、本発明に係る回転ユニットは、鉛直方向に延在する軸部を有する軸側部材と、前記軸部が入り込む中空部を有すると共に、前記中空部に前記軸部が入り込んだ状態で相対回転可能に前記軸部を支持する支持側部材と、前記軸側部材における鉛直方向で前記支持側部材に対向する面に配設される軸側磁石と、対向面同士の極性が同じ極性で前記軸側磁石に対向するように前記支持側部材に配設される支持側磁石と、を備えることを特徴とする。
【発明の効果】
【０００８】
本発明に係る回転ユニットは、軸側部材と支持側部材とに、鉛直方向の対向面同士の極性が同じ極性で対向するように軸側磁石と支持側磁石とを配設するため、軸側部材と支持側部材とを上下方向で離間させた状態で維持させることができ、軸側部材と支持側部材とを必要以上に軽量化することなく、相対回転させる際の抵抗を小さくすることができる。これにより、耐久性を確保しつつ、軽い操作力での開閉を可能にすることができる、という効果を奏する。
【図面の簡単な説明】
【０００９】
【図１】図１は、実施形態に係る回転ユニットを備える門扉の概略図である。
【図２】図２は、図１のＡ部詳細図である。
【図３】図３は、図２に示す軸側部材の斜視図である。
【図４】図４は、図２に示す軸側部材の正面図である。
【図５】図５は、図４のＡ−Ａ断面図である。
【図６】図６は、図２に示す支持側部材の斜視図である。
【図７】図７は、図２に示す支持側部材の正面図及び要部断面である。
【図８】図８は、軸側部材と支持側部材とを組み合わせる際の説明図である。
【図９】図９は、回転ユニットの正面図及び要部断面である。
【図１０】図１０は、図９のＢ−Ｂ断面図である。
【図１１】図１１は、実施形態に係る回転ユニットの変形例を示す正面図及び要部断面である。
【図１２】図１２は、図１１のＣ−Ｃ断面図である。
【図１３】図１３は、実施形態に係る回転ユニットの変形例を示す正面図及び要部断面である。
【発明を実施するための形態】
【００１０】
以下に、本発明に係る回転ユニットの実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１１】
〔実施形態〕
図１は、実施形態に係る回転ユニットを備える門扉の概略図である。なお、以下の説明では、本実施形態に係る回転ユニット１０が備えられる門扉１の通常の使用態様時における上下方向を、回転ユニット１０の上下方向として説明する。図１に示す門扉１は、一対の門扉１が２つの門柱６によって開閉可能に支持されている。詳しくは、２つの門扉１は２つの門柱６間に配設され、各門扉１は、それぞれ門柱６に回転ユニット１０によって連結されることにより、開閉可能に支持されている。回転ユニット１０は、１つの門扉１と１つの門柱６とを２箇所で連結しており、門扉１の高さ方向における上端付近と下端付近で、門扉１と門柱６とを連結している。また、２つの門扉１には、それぞれ他方の門扉１寄りの端部にレバーハンドル２と錠前（図示省略）とが配設されており、このレバーハンドル２や錠前を操作することにより、門扉１を閉じた状態で維持したり、閉じている状態の門扉１を開いたりすることができる。
【００１２】
図２は、図１のＡ部詳細図である。回転ユニット１０は、軸側部材１１と支持側部材２１とを相対的に回転可能に組み合わせることにより構成されており、軸側部材１１は門扉１と一体に設けられ、支持側部材２１は門柱６と一体に設けられている。これにより、門扉１と門柱６とは、相対的に回転可能に組み合わされている。
【００１３】
これらの軸側部材１１と支持側部材２１とのうち、軸側部材１１は、門扉１において水平方向に延在する部材である横フレーム３の端部を含んで構成されており、この横フレーム３において軸側部材１１を構成している部分は、回転ユニット１０における門扉１に対する固定部分である門扉側固定部４となっている。
【００１４】
また、支持側部材２１は、回転ユニット１０における門柱６に対する固定部分である門柱側固定部７を含んで構成されている。この門柱側固定部７は、門柱６から門扉１の方向に突出する部材によって設けられている。
【００１５】
図３は、図２に示す軸側部材の斜視図である。図４は、図２に示す軸側部材の正面図である。軸側部材１１は、円柱状に形成される軸部１２と、この軸部１２を保持する軸部固定部１５と、により構成されている。詳しくは、軸部１２は、円柱の一端が軸部固定部１５に接続されることにより軸部固定部１５に固定されており、軸部１２は、門扉１の通常の使用態様において軸部固定部１５から鉛直方向に下方に向かって延在している。また、軸部固定部１５は、門扉側固定部４が兼ねており、即ち、軸部固定部１５は、門扉１の横フレーム３が兼ねている。
【００１６】
また、軸部１２は、軸側磁石１６と、後述する発電用コイル３２と共に発電ユニット３０を構成する発電用磁石３１との２種類の磁石を有している。このうち、軸側磁石１６は、軸部１２の先端付近、即ち、軸部１２における軸部固定部１５に接続されている側の端部の反対側の端部付近に配設されている。また、発電用磁石３１は、軸部１２の長さ方向において軸側磁石１６よりも軸部固定部１５寄りの位置に配設されている。
【００１７】
これらの軸側磁石１６と発電用磁石３１とは、共に軸部１２の形状である円柱の径と同程度の径からなる円板状の形状で積層されている。このため、軸部１２は、軸側磁石１６と発電用磁石３１を含む全体の形状が、円柱状、或いは丸棒状の形状で形成されている。
【００１８】
また、軸側磁石１６と発電用磁石３１とは、互いに磁力の極性が異なる形態になって構成さている。具体的には、軸側磁石１６は、軸部１２の長さ方向で極性が異なっており、即ち、軸側磁石１６は、軸部１２の先端側の部分と発電用磁石３１側の部分とで、極性が異なっている。このため、軸部１２は、先端部分の全体が同じ極性になっている。例えば、軸側磁石１６は、軸部１２における先端側がＮ極になり、発電用磁石３１がＳ極になっている場合は、軸部１２は、先端の面の全体がＮ極になる。
【００１９】
図５は、図４のＡ−Ａ断面図である。軸部１２の長さ方向において極性が異なる軸側磁石１６に対し、発電用磁石３１は、軸部１２の周方向において極性が異なっており、即ち、軸部１２の周方向で極性が交互に変化するように、発電用磁石３１は構成されている。例えば、発電用磁石３１は、２つの磁石を組み合わせることにより形成されている場合は、軸部１２の軸方向に見た場合における形状が半円の形状になると共に、軸部１２の周方向において９０°で分けた領域で極性が異なる２つの磁石が組み合わされることにより形成される。即ち、半円の磁石は、軸部１２の周方向において９０°で分けた場合の一方の領域がＮ極になり、他方の領域がＳ極になり、発電用磁石３１は、この半円の磁石２つを、隣接する極性同士が異なる極性になるように組み合わせる。これにより、発電用磁石３１は、軸部１２の周方向における９０°ごとに磁石の極性が異なるように構成される。
【００２０】
図６は、図２に示す支持側部材の斜視図である。図７は、図２に示す支持側部材の正面図及び要部断面である。支持側部材２１は、円筒状に形成される支持部材２２と、この支持部材２２を保持する支持部材固定部２５と、により構成されている。詳しくは、支持部材２２は、円筒の一端が支持部材固定部２５に接続されることにより支持部材固定部２５に固定されており、支持部材２２は、門扉１の通常の使用態様において支持部材固定部２５から鉛直方向に上方に向かって延在している。このため、円筒状に形成される支持部材２２の内側部分である中空部２３は、上方に向かって開口している。また、支持部材固定部２５は、門柱側固定部７が兼ねており、支持側部材２１は、支持部材固定部２５が門柱６と一体に設けられることにより、門柱６に連結されている。
【００２１】
また、支持部材２２の中空部２３は、内径が軸部１２の外径よりも若干大きい径となって形成されており、その底部、即ち、支持部材固定部２５寄りの端部には、支持側磁石２６が配設されている。この支持側磁石２６は、外径が中空部２３の内径と同程度の径になる円板状の形状で、軸方向が中空部２３に軸方向と一致する向きで中空部２３の下端側に配設されている。このため、支持側磁石２６は、上方側の面が中空部２３の底面として構成されている。
【００２２】
このように配設される支持側磁石２６は、円板の厚さ方向、或いは中空部２３の深さ方向で極性が異なっており、即ち、支持側磁石２６は、中空部２３の深さ方向における両面で極性が異なっている。このため、底部に支持側磁石２６が配設される中空部２３の底面は、全体が同じ極性になっている。さらに、支持側磁石２６における中空部２３の底面側に位置する極性は、軸部１２の先端の極性と同じ極性になっている。例えば、軸部１２の先端がＮ極になっている場合には、支持側磁石２６は、上方側の面がＮ極になり、中空部２３の底面全体がＮ極になる。
【００２３】
また、支持部材２２には、軸部１２に設けられる発電用磁石３１と共に発電ユニット３０を構成する発電用コイル３２が設けられている。この発電用コイル３２は、伝導体の電線を、内側に空間を有するように巻くことにより構成されており、例えば、矩形の平面の外周を電線で巻いた形状で形成されている。支持部材２２には、この発電用コイル３２が複数配設されており、複数の発電用コイル３２は、支持側磁石２６が位置する部分よりも、全て上方側、或いは、支持部材固定部２５が位置する側の反対側に、全て配設されている。また、複数の発電用コイル３２は、円筒状の支持部材２２の中心軸を中心とする周方向における間隔が等間隔となって配設されている。
【００２４】
また、支持側部材２１は、通信回路４０と充電回路４５との双方に接続されており、発電用コイル３２は、この通信回路４０と充電回路４５との双方に対して直接、または間接的に、電気的に接続されている。この通信回路４０と充電回路４５とのうち、通信回路４０は、無線アンテナ４１を有しており、発電用コイル３２と発電用磁石３１とにより構成される発電ユニット３０で発電した電気を用いて、外部の通信機器（図示省略）に対して所定の情報を電波によって無線送信可能になっている。また、充電回路４５は、蓄電池やキャパシタ等を有して構成されており、発電ユニット３０で発電した電気を充電することが可能になっている。
【００２５】
図８は、軸側部材と支持側部材とを組み合わせる際の説明図である。回転ユニット１０を構成する軸側部材１１と支持側部材２１とを組み合わせる場合は、軸側部材１１の軸部１２を、支持側部材２１の中空部２３に挿入することにより行う。即ち、軸部固定部１５から下方に向かって延在している軸部１２を、上方に向かって開口している支持部材２２の中空部２３に対して、上方から挿入する。これにより、軸部１２を中空部２３に入り込ませ、軸側部材１１と支持側部材２１とを組み合わせる。
【００２６】
図９は、回転ユニットの正面図及び要部断面である。図１０は、図９のＢ−Ｂ断面図である。支持側部材２１は、このように中空部２３に軸部１２が入り込んだ状態で軸部１２を支持するが、中空部２３の径は、軸部１２の径よりも若干径が大きくなっているため、軸部１２は、中空部２３に対して軸部１２の中心軸を中心として中空部２３に対して相対的に回転可能な状態になる。このため、支持側部材２１は、中空部２３に軸部１２が入り込んだ状態では、相対回転可能に軸部１２を支持する。
【００２７】
また、軸部１２の先端には、軸側磁石１６が配設されており、即ち、軸側磁石１６は、軸側部材１１における鉛直方向で支持側部材２１に対向する面に配設されている。一方、中空部２３の底部には、支持側磁石２６が配設されており、即ち、支持側磁石２６は、対向面同士の極性が同じ極性で軸側磁石１６に対向するように支持側部材２１に配設されている。
【００２８】
このように、軸側磁石１６と支持側磁石２６とは、同じ極性の面が対向するため、軸側磁石１６と支持側磁石２６とは、この同じ極性の磁力によって反発し合うことになる。このため、中空部２３に入り込んだ軸部１２は、軸側磁石１６と支持側磁石２６との反発力により、先端部分が中空部２３の底面には接触せずに、離間した状態で維持される。即ち、軸部１２は、中空部２３内で浮上した状態で維持される。
【００２９】
また、軸部１２における軸側磁石１６よりも軸部固定部１５側の位置に配設される発電用磁石３１は、支持部材２２において、支持側磁石２６が位置する部分よりも上方側に配設される発電用コイル３２と、上下方向における位置が同程度の位置になる。つまり、軸部１２が中空部２３に入り込んだ状態における発電用磁石３１と発電用コイル３２とは、軸部１２や中空部２３の軸方向における位置が同程度の位置になる。このため、複数の発電用コイル３２は、等間隔で発電用磁石３１の周囲に配設される状態になる。
【００３０】
本実施形態に係る回転ユニット１０及び回転ユニット１０を備える門扉１は、以上のごとき構成からなり、以下、その作用について説明する。門扉１を開閉する場合には、閉じている状態の門扉１を人が開けたり、開いている状態の門扉１を人が閉じたりするが、門扉１が開閉する際には、回転ユニット１０を構成する複数の部材が相対的に回転することにより開閉する。
【００３１】
つまり、回転ユニット１０を構成する部材のうち、軸側部材１１は門扉１に接続され、支持側部材２１は門柱６に接続されており、支持側部材２１は、中空部２３に入り込んだ軸側部材１１の軸部１２を、相対回転可能に支持している。これにより、軸側部材１１と支持側部材２１とが相対回転することにより、門扉１は軸部１２の中心軸を中心として門柱６に対して相対的に回転し、開閉可能になる。その際に、軸部１２は、軸側磁石１６と支持側磁石２６との反発力により、中空部２３内で浮上した状態になっているため、軸部１２の先端と中空部２３の底面とが離間した状態になっている。
【００３２】
このため、軸側部材１１と支持側部材２１とは、上下方向、即ち、重力が作用する方向においては、いずれの部分も他方に接触しておらず、軸側部材１１と支持側部材２１とは、上下方向においていずれの部分も離間した状態になっている。従って、軸側部材１１と支持側部材２１とは、上下方向において対向する面同士が接触している場合のような、対向している面同士の摩擦力が発生しないため、軸側部材１１と支持側部材２１とが相対回転する際の抵抗が小さくなっている。これにより、軸側部材１１と支持側部材２１とを相対回転させる際には、小さい力を回転ユニット１０に付与するのみで相対回転をするため、門柱６に対して門扉１を相対的に回転させることにより門扉１を開閉させる場合には、比較的小さな力を門扉１に付与することにより、門扉１は開閉する。
【００３３】
また、門扉１の開閉時に、軸側部材１１と支持側部材２１とが相対的に回転した場合には、軸部１２に設けられる発電用磁石３１と、支持側部材２１が有する発電用コイル３２とは、相対的な位置が変化する。即ち、発電用磁石３１は、軸部１２の径方向における複数の発電用コイル３２の内方側に位置しているため、軸側部材１１と支持側部材２１が相対的に回転した場合には、発電用磁石３１と発電用コイル３２とは、軸部１２の周方向における相対的な位置が変化する。
【００３４】
一方、発電用磁石３１は、軸部１２の周方向で極性が交互に変化しているため、発電用磁石３１と発電用コイル３２との周方向における相対的な位置が変化した場合には、発電用磁石３１から発電用コイル３２に対して作用する磁界が変化する。このため、発電用コイル３２では、磁界が変化する際における誘導起電力によって電気が発生する。
【００３５】
このように、発電用コイル３２で発生した電気は、充電回路４５と通信回路４０とに伝達される。このうち、充電回路４５は、伝達された電気を充電する。また、通信回路４０は、発電用コイル３２から電気が伝達された旨の情報を、発電用コイル３２から伝達された電気と、充電回路４５に充電されている電気とを用いて、外部の通信機器に対して無線送信する。
【００３６】
換言すると、通信回路４０は、門扉１の開閉によって発電用磁石３１と発電用コイル３２とからなる発電ユニット３０で電気が発電された際に、この発電された旨の情報を外部の通信機器に対して無線送信し、通信機器は、この情報を受信する。これにより、例えば、通信機器が、門扉１が設置される建物の中に設置されている場合、通信回路４０から無線送信される情報を通信機器で受信することによって、門扉１が開閉したことを建物の中で検知できる。このように、門扉１が開閉したことを通信機器で検知した場合は、通信機器は、玄関の照明を点灯させたり、空調の運転を開始したりするなど、各機器をスタンバイ状態にする。
【００３７】
以上の回転ユニット１０は、軸部１２における支持側部材２１に対向する面には軸側磁石１６が配設され、軸部１２が入り込む中空部２３の底部には、対向面同士の極性が同じ極性で軸側磁石１６に対向するように支持側磁石２６が配設されている。このため、軸部１２は中空部２３内で浮上することができる。従って、軸側部材１１と支持側部材２１とは、必要以上に軽量化を図ることなく、相対回転させる際の抵抗を小さくすることができる。この結果、耐久性を確保しつつ、軽い操作力での開閉を可能にすることができる。
【００３８】
なお、上述した回転ユニット１０では、磁石の反発力を利用して軸側部材１１と支持側部材２１とを上下方向に離間させているが、磁石の反発力を利用して上下方向以外の方向にも離間させてよい。図１１は、実施形態に係る回転ユニットの変形例を示す正面図及び要部断面である。図１２は、図１１のＣ−Ｃ断面図である。軸側部材１１と支持側部材２１とを、磁石の反発力を利用して上下方向以外の方向に離間させる場合には、例えば、図１１、図１２に示すように、軸部１２の外周面１３と中空部２３の内周面２４とが、磁石の反発力で離間するように磁石を設けてもよい。具体的には、軸部１２には、当該軸部１２の外周面１３における中空部２３に対向する面に、軸側磁石である軸側中立磁石５０を配設する。
【００３９】
この軸側中立磁石５０は、軸部１２における発電用磁石３１よりも軸部固定部１５寄りの位置に配設されている。また、軸側中立磁石５０は、円筒形の形状で形成されており、円筒形の中心軸が軸部１２の中心軸と一致する向きで配設されている。このため、軸側中立磁石５０の径方向における中心側には、軸部１２を構成する軸側中立磁石５０以外の部材からなる軸心部５１が位置している。
【００４０】
また、このように円筒形の形状で形成される軸側中立磁石５０の極性は、円筒形の内周面側と外周面側とで異なっている。このため、例えば、円筒形の外周面側がＮ極で内周面側がＳ極の場合は、外周面側は全てＮ極になるため、軸部１２における軸側中立磁石５０が配設されている部分の外周面１３は、全てＮ極になる。
【００４１】
このように軸側中立磁石５０を配設する軸部１２に対し、中空部２３には、内周面２４に、対向面同士の極性が同じ極性で軸側中立磁石５０に対向するように、中空部側磁石である支持部側中立磁石５５を配設する。即ち、支持部側中立磁石５５は、中空部２３に軸部１２が入り込んだ状態の中空部２３の軸方向において軸部１２の軸側中立磁石５０が位置する付近に配設されている。また、この支持部側中立磁石５５は、円筒形の形状で形成されており、円筒形の中心軸が中空部２３の中心軸と一致する向きで配設されている。
【００４２】
また、このように円筒形の形状で形成される支持部側中立磁石５５の極性は、円筒形の内周面側と外周面側とで異なっており、内周面側が、軸側中立磁石５０の外周面側と同じ極性になっている。このため、例えば、軸側中立磁石５０の外周面側がＮ極の場合は、支持部側中立磁石５５の内周面側がＮ極になり、外周面側がＳ極になるため、中空部２３における支持部側中立磁石５５が配設されている部分の内周面２４は、全てＮ極になる。
【００４３】
これらのように、軸側中立磁石５０と支持部側中立磁石５５とを配設することにより、軸部１２を中空部２３に入り込ませた場合、軸側中立磁石５０と支持部側中立磁石５５とは、対向面同士が同じ極性になる。このため、軸側中立磁石５０と支持部側中立磁石５５とは、同じ極性の磁力によって反発し合うことになり、軸側中立磁石５０や支持部側中立磁石５５が位置する部分では、軸部１２の外周面１３と中空部２３の内周面２４との間には、反発力が発生する。これにより、軸部１２は、外周面１３が中空部２３の内周面２４から離れた状態が維持され、軸部１２が中空部２３に対して相対回転する際に、より確実に摩擦力が発生し難くなるようにすることができる。従って、軸側部材１１と支持側部材２１とを相対回転させる際の抵抗を、より確実に小さくすることができ、耐久性を確保しつつ、より確実に軽い操作力での開閉を可能にすることができる。
【００４４】
また、上述した回転ユニット１０では、軸側磁石１６は軸部１２の先端に配設し、支持側磁石２６は中空部２３の底部に配設しているが、軸側磁石と支持側磁石とは、これ以外の位置に配設してもよい。図１３は、実施形態に係る回転ユニットの変形例を示す正面図及び要部断面である。例えば、支持側磁石６５は、図１３に示すように、支持部材２２における上端部分に配設してもよく、軸側磁石６１は、軸部固定部１５における支持側磁石６５に対向する面に配設してもよい。
【００４５】
この場合における支持側磁石６５は、軸部１２や中空部２３の軸方向における両面で極性が異なっている。また、軸側磁石６１も、軸部１２や中空部２３の軸方向における両面で極性が異なっており、軸側磁石６１と支持側磁石６５とは、対向面同士の極性が同じ極性になっている。このため、軸部１２を中空部２３に挿入することにより、軸側磁石６１と支持側磁石６５とが対向する状態になった場合は、軸側磁石６１と支持側磁石６５とは、同じ極性の磁力によって反発し合うことになる。従って、軸部固定部１５は、この磁石同士の反発力によって支持部材２２に接触せず、支持部材２２から離間した状態で維持される。この結果、軸側部材１１と支持側部材２１とは、必要以上に軽量化を図ることなく、相対回転させる際の抵抗が小さくすることができるため、耐久性を確保しつつ、軽い操作力での開閉を可能にすることができる。
【００４６】
また、上述した回転ユニット１０では、軸部１２は軸部固定部１５から鉛直方向に下方に向かって延在し、中空部２３の上方から中空部２３内に挿入する形態になっているが、軸部１２と中空部２３の向きは反対向きでもよい。つまり、軸部１２は軸部固定部１５から鉛直方向に上方に向かって延在し、下方側が開口する中空部２３に対して下方側から軸部１２を挿入する形態でもよい。軸部１２と中空部２３とが、このように組み合わされる場合でも、軸側部材１１と支持側部材２１とにおいて、上下方向で対向するそれぞれの面同士に、極性が同じ極性になる向きで磁石を配設することにより、軸側部材１１と支持側部材２１とが上下方向に離間した状態で維持することができる。これにより、必要以上に軽量化を図ることに起因して耐久性を低下させることなく、回転ユニット１０を用いて開閉操作をする際における操作力を軽くすることができる。
【００４７】
また、上述した回転ユニット１０は、門扉１と門柱６との連結部分に配設され、門扉１の開閉に用いられているが、回転ユニット１０は門扉１以外の部分に用いられてもよい。例えば、玄関の扉や、建物内に設置される扉など、回転軸を中心として回転することにより開閉すると共に、回転軸の向きが鉛直方向になる建具であれば、回転ユニット１０を配設する部分の用途は問わない。
【符号の説明】
【００４８】
１  門扉
４  門扉側固定部
６  門柱
７  門柱側固定部
１０  回転ユニット
１１  軸側部材
１２  軸部
１５  軸部固定部
１６、６１  軸側磁石
２１  支持側部材
２２  支持部材
２３  中空部
２５  支持部材固定部
２６、６５  支持側磁石
３０  発電ユニット
３１  発電用磁石
３２  発電用コイル
４０  通信回路
４５  充電回路
５０  軸側中立磁石
５５  支持部側中立磁石
【図１】
2013040623.tif 000003
【図２】
2013040623.tif 000004
【図３】
2013040623.tif 000005
【図４】
2013040623.tif 000006
【図５】
2013040623.tif 000007
【図６】
2013040623.tif 000008
【図７】
2013040623.tif 000009
【図８】
2013040623.tif 000010
【図９】
2013040623.tif 000011
【図１０】
2013040623.tif 000012
【図１１】
2013040623.tif 000013
【図１２】
2013040623.tif 000014
【図１３】
2013040623.tif 000015